(57)【要約】  分散アンテナシステムにおける効率的なパイロット信号の送信方法を提供する。少なくとも無線周波数信号の送受信を行う複数の無線部と、ベースバンド部とから構成された基地局と、前記基地局と通信する端末とを有し、前記基地局は、前記複数の無線部からパイロット信号を送信し、前記パイロット信号を異なる無線リソースを用いて送信する前記無線部の種類を、前記端末からフィードバックされる情報に基づいて変化させる。
2012143973.tif 000002
【特許請求の範囲】
【請求項１】
無線通信システムであって、
端末と、
前記端末と無線信号の送受信を行う複数の無線部と、
前記端末からフィードバックされる情報に基づいて、前記無線部を介して前記端末に送信されるパイロット信号を決定するベースバンド部と、を有する基地局とを、備える、ことを特徴とする無線通信システム。
【請求項２】
請求項１記載の無線通信システムであって、
前記ベースバンド部は、前記送信されるパイロット信号に割り当てる無線リソースの配置を決定する、ことを特徴とする無線通信システム。
【請求項３】
請求項１記載の無線通信システムであって、前記ベースバンド部は、前記送信されるパイロット信号のパタンを決定する、ことを特徴とする無線通信システム。
【請求項４】
請求項３記載の無線通信システムであって、
前記ベースバンド部は、前記パイロット信号のパタンに、ウォルシュ符号をもちいることを特徴とする無線通信システム。
【請求項５】
請求項１記載の無線通信システムであって、
前記ベースバンド部は、所定のタイミングでフィードバック情報を収集し、異なるタイミングで収集したフィードバック情報に基づいて送信されるパイロット信号を決定する、ことを特徴とする無線通信システム。
【請求項６】
請求項５記載の無線通信システムであって、
前記端末からフィードバックされる情報は、前記端末が受信可能なランク数を示す情報であること、を特徴とする無線通信システム。
【請求項７】
請求項５に記載の無線通信システムであって、
前記端末からフィードバックされる情報は、否定応答であること、を特徴とする無線通信システム。
【請求項８】
請求項６記載の無線通信システムであって、
前記ランク数が減少した場合は、少なくとも一の前記パイロット信号を異なる無線リソースを用いて送信する前記無線部を減少させること、
を特徴とする無線通信システム。
【請求項９】
請求項６記載の無線通信システムであって、
異なる無線リソースを用いて前記パイロット信号を送信する前記無線部を増加させることにより否定応答が減少する場合は、前記パイロット信号を異なる無線リソースを用いて送信する前記無線部を増加させること、
を特徴とする無線通信システム。
【請求項１０】
請求項１記載の無線通信システムであって、
前記ベースバンド部は、複数の前記無線部ごとに、送信すべきパイロット信号を決定する、ことを特徴とする無線通信システム。
【請求項１１】
請求項５記載の無線通信システムであって、
前記ベースバンド部は、複数の前記端末から収集されるフィードバック情報に基づいて送信すべきパイロット信号を、前記無線部ごとに決定すること、
を特徴とする無線通信システム。
【請求項１２】
請求項１１記載の無線通信システムであって、
前記複数端末からフィードバックされる情報は、ランク数を示す情報であり、
前記ベースバンド部は、前記ランク数の減少を示す端末の割合が閾値を超えた場合、前記パイロット信号を異なる無線リソースを用いて送信させる前記無線部を変更すること、
を特徴とする無線通信システム。
【請求項１３】
請求項１１記載の無線通信システムであって、
前記複数端末からフィードバックされる情報は否定応答であり、
前記ベースバンド部は、否定応答をフィードバックする端末の割合が閾値を超えた場合、前記パイロット信号を異なる無線リソースを用いて送信させる前記無線部を変更すること、
を特徴とする無線通信システム。
【請求項１４】
請求項５に記載の無線通信システムであって、
前記ベースバンド部は、複数の前記端末に対するトータルスループットが向上する場合に、前記パイロット信号を異なる無線リソースを用いて送信させる前記無線部を変更すること、
を特徴とする無線通信システム。
【請求項１５】
請求項５に記載の無線通信システムであって、
前記ベースバンド部は、複数の前記端末への最低スループットが上がる場合、前記パイロット信号を異なる無線リソースを用いて送信させる前記無線部を変更すること、
を特徴とする無線通信システム。
【請求項１６】
請求項１に記載の無線通信システムであって
前記ベースバンド部は、決定されるパイロット信号に関する情報を少なくとも一の端末に通知し、通知後に前記パイロット信号を送信すること、
を特徴とする無線通信システム。
【請求項１７】
請求項１に記載の無線通信システムであって、
前記基地局は、同じ前記複数の無線部から、前記複数端末へ同時にデータ信号の送信を行うマルチユーザＭＩＭＯ通信をすること、
を特徴とする無線通信システム。
【請求項１８】
請求項１に記載の無線通信システムであって、
前記複数の無線部それぞれは、２つ以上のグループのいずれかに対応づけられ、
前記グループに対応づけられる前記無線部と通信する端末からフィードバックされる情報に基づいて、前記グループごとに前記パイロット信号を異なる無線リソースを用いて送信させる前記無線部を変更すること、
を特徴とする無線通信システム。
【請求項１９】
請求項１８に記載の無線通信システムであって、
前記無線部と通信する前記端末のランク数に基づいて前記無線部のグループ分けを行うこと、を特徴とする無線通信システム。
【請求項２０】
基地局が備える複数の無線送受信部から端末に送信されるパイロット信号の配置方法であって、
所定のタイミングで複数の前記端末から前記基地局へのフィードバック情報を収集し、
前記収集されたフィードバック情報を蓄積し
異なる前記タイミングで収集されるフィードバック情報を比較し、
比較結果に基づいて複数の無線部で送信されるパイロット信号を決定する、ことを特徴とするパイロット信号の配置方法。
【請求項２１】
無線基地局と無線通信を行う無線端末であって、
パイロット信号配置と番号とを対応付けたテーブルと、
前記基地局から情報が通知された場合、前記テーブルを参照し、前記パイロット信号配置を特定し、前記特定されたパイロット信号配置に基づいて、前記基地局からのパイロット信号を受信する制御部と、
を有する、ことを特徴とする無線端末。
【発明の詳細な説明】
【技術分野】
【０００１】
本発明は、無線通信システム、基地局システム、および端末に関する。
【背景技術】
【０００２】
基地局と端末の間に形成される空間伝搬路の特性は、基地局と端末の間で互いに既知の信号を用いて推定する。以下、本明細書では、上記の既知の信号をパイロット信号と称する。周波数分割デュプレックス（ＦＤＤ）を用いるシステムでは、基地局から端末へ信号を送信する場合の空間伝搬路の特性は、基地局が送信したパイロット信号により端末側で推定される。端末が空間伝搬路特性に関する情報を基地局へフィードバックすることによって、基地局は端末へ信号を送る場合の空間伝搬路の特性に関する情報を得ることができる。【０００３】
また、端末から基地局へ信号を送信する場合の空間伝搬路の特性は、端末が送信したパイロット信号を基地局が受信することによって推定する。【０００４】
特許文献１では、分散アンテナシステムにおけるパイロット信号とデータ信号の送信方法が開示されている。特許文献１では、複数の遠隔アンテナ装置の中で、アンテナインデックスが割り当てられていない遠隔アンテナ装置のパイロット信号の送信に用いるリソースに、他の遠隔アンテナの通信データを割り当てることが開示されている。【０００５】
また、特許文献２には、無線通信の高速化及び／又は高品質化を図るため、複数のアンテナを用いた多入力多出力（Ｍｕｌｔｉｐｌｅ Ｉｎｐｕｔ Ｍｕｌｔｉｐｌｅ Ｏｕｔｐｕｔ：ＭＩＭＯ）技術や、送信局と複数の受信局が同時に接続できるマルチユーザＭＩＭＯ（ＭＵ−ＭＩＭＯ）技術が開示されている。
【先行技術文献】
【特許文献】
【０００６】
【特許文献１】特開２０１０−６８４９６公報
【特許文献２】特開２００７−２１４９９３公報
【発明の概要】
【発明が解決しようとする課題】
【０００７】
ＭＩＭＯまたはＭＵ−ＭＩＭＯの性能を高めるには、基地局が端末との間に形成される空間チャネルの情報が必要と考えられている。【０００８】
基地局と端末の間の通信速度の、通信エリア内におけるばらつきを小さくするためには、基地局のアンテナを分散配置すること、さらに端末との間に良好な空間伝搬路を形成しているアンテナと通信を行うことが有効である。【０００９】
各アンテナと端末との間の空間伝搬路の推定には、上述のパイロット信号を用いるが、基地局は１つのアンテナからのパイロット信号と、他のアンテナからのパイロット信号を識別できるようにパイロット信号を送らなければならない。そのため、分散配置されたアンテナの数が増えると、パイロット信号の送信に多くの無線リソースを用いることになり、オーバーヘッドが大きくなる。このため特許文献１では、１つの端末が通信しないアンテナが送信するパイロット信号に用いる無線リソースを使って、データ信号を送信することが開示されている。しかし、特許文献１に開示されている技術を用いる場合は、複数のユーザが存在する場合は、周波数または時間の分割による通信となる。【００１０】
しかし、分散アンテナシステムは、１つの端末と通信するよりも、同時に複数の端末と通信する構成とした方が、無線リソースを有効活用できる確率が高い。【００１１】
そのため、分散アンテナシステムにおいて、分散アンテナから送信されるパイロット信号の無線リソースを、パイロット信号の送信に用いたうえで、パイロット信号送信のオーバーヘッドを低減すること、かつ、複数端末との通信も考慮した分散アンテナシステムにおけるパイロット信号の送信方法の提供が課題となる。
【課題を解決するための手段】
【００１２】
上述した課題の少なくとも一の課題を解決するための本発明の一態様として、
無線通信システムであって、少なくとも無線周波数信号の送受信を行う複数の無線部と、送信信号作成と受信信号処理、並びに基地局動作のための制御を行うベースバンド部とから構成された基地局と、前記基地局と通信する端末とを有し、前記基地局は、前記複数の無線部からパイロット信号を送信し、前記無線部から送信される前記パイロット信号の配置される無線リソースの配置、もしくはパイロット信号のパタンの少なくともいずれかを、前記端末からフィードバックされる情報に基づいて変更すること、とする。【００１３】
別の態様では、分散配置された基地局の無線送受信部と、端末との間の空間伝搬路に応じて、基地局から送信されるパイロット信号配置を決定する、という態様である。【００１４】
別の態様によれば、分散配置した無線部を、いくつかのグループに分割し、そのグループ内でそれぞれパイロット信号の配置、もしくはパタンを変更する態様である。
【発明の効果】
【００１５】
本発明の一態様によれば、パイロット信号の送信で使用する無線リソースを有効活用することが可能となる。
【図面の簡単な説明】
【００１６】
【図１】無線通信システムの構成図
【図２】実施例１における基地局動作のフローチャート
【図３】実施例２における基地局動作のフローチャート
【図４】端末のランク数とパイロット信号配置番号の関係を示すテーブル
【図５】４つの無線部のパイロット信号が識別可能なパイロット信号の配置図
【図６】２つの無線部のパイロット信号が識別可能なパイロット信号の配置図
【図７】実施例３における基地局動作のフローチャート
【図８】否定応答の頻度とパイロット信号配置番号の関係を示すテーブル
【図９】実施例３における基地局と端末間の動作シーケンス
【図１０】実施例４における複数端末がある場合の無線通信システムの構成図
【図１１】実施例４における基地局動作のフローチャート
【図１２】トータルスループットの変化とパイロット信号配置番号の関係を示すテーブル
【図１３】実施例５における複数端末がある場合の無線通信システムの構成図
【図１４】実施例５における基地局動作のフローチャート１
【図１５】各端末のスループットのなかの最小値の変化とパイロット信号配置番号の関係を示すテーブル
【図１６】実施例５における基地局動作のフローチャート２
【図１７】無線部を２グループに分割した無線通信システムの構成図
【図１８】本発明に基づき動作している基地局と端末が通信を開始する場合のシーケンス
【図１９】端末構成図
【図２０】管理装置によるマニュアル制御も可能な基地局構成図
【図２１】パイロット信号配置とパイロット信号配置番号の関係を示すテーブル
【図２２】実施例１の基地局構成図
【図２３】実施例２の基地局構成図
【図２４】実施例３の基地局構成図
【図２５】実施例４の基地局構成図
【発明を実施するための形態】
【００１７】
以下、図面を用いて、本発明の実施形態を説明する。
【実施例１】
【００１８】
図１は本発明の実施例１における無線通信システムの構成図の一例、図２２は本発明の実施例１における基地局の構成図の一例、図２は本発明の実施例１における基地局動作のフローチャートの一例である。
図１に示すように、基地局は、アンテナ（１１１）と無線変復調部１〜７（１１２１〜１１２７）から構成される無線部１〜７（１２１〜１２７）と、前記７つの無線部が送信する信号の作成と受信する信号の処理、並びに基地局の動作を制御するベースバンド部（１１０）を有する。各無線部１〜７は、少なくとも１つのアンテナ（１１１）を有し、端末１２８と無線信号の送受信を行う。【００１９】
実施例１では４つのアンテナ（１１８）を有する端末（１２８）が、基地局と通信をする。実施例１では、基地局から端末へ信号を送信する場合について説明する。【００２０】
図５は、信号を割り当てる、リソースの概念図を示す。図５は、横軸を時間方向、縦軸を周波数方向として示している。実施例１では、端末は最大４レイヤの信号の受信が可能であるため、基地局は、端末が識別すべき無線部の初期値を４として設定する。そのため、４つのパイロット信号を分離して受信できるように、図５の（ａ）〜（ｄ）に示すパイロット信号を用いる。例えば、図５の（ａ）では、ハッチングを示したリソース（１５５）を使ってパイロット信号を送信する。また、他の無線部がパイロット信号を出すリソース（１５９）では、信号を出さないようにする。それ以外のリソース（１６０）を使って、データ信号や制御信号などを送信する。同様に、図５（ｂ）では１５６、（ｃ）では１５７、（ｄ）では１５８として示したリソースを使って、パイロット信号を送信する。【００２１】
実施例１では、７個の無線部があり、各無線部により送信されるパイロット信号は、上記の（ａ）〜（ｄ）のいずれかとなるため、同じリソースでパイロット信号を出す無線部が３組存在する。そのためこれらの無線部から送信されるパイロット信号は、互いへの干渉が小さくなる配置とすることが望ましい。実施例１では、無線部１（１２１）は図５（ａ）の配置、無線部２（１２２）は図５（ｂ）の配置、無線部３（１２３）は図５（ｃ）の配置、無線部４（１２４）は図５（ｄ）の配置、無線部５（１２５）は図５（ａ）の配置、無線部６（１２６）は図５（ｂ）の配置、無線部７（１２７）は図５（ｃ）の配置のパイロット信号を送信するようにした。【００２２】
本実施例における基地局の構成を、図２２を用いて説明する。基地局（４００）は、アンテナと無線変復調部（１４０４）からなる無線部（４０４）と、ベースバンド部（４０３）とを有する。またバックホールネットワークインタフェース（４０２）を介して、バックホールネットワーク（４０１）に接続されており、各端末宛または端末からのデータをバックホールネットワークとの間でやり取りする。無線部とベースバンド部を接続する配線（１２０）は、光ファイバでも、銅を用いた配線などでもよい。【００２３】
無線部が有するアンテナは、アンテナを特定するための個別の番号であるアンテナ識別子が対応づけられている。アンテナ識別子により端末がどのアンテナと接続しているかを把握できる仕組みとなっている。【００２４】
ベースバンド部（４０３）は送信信号の作成と受信信号の処理を行う信号処理部（４０７）と基地局動作のための制御を行う制御部（４０５）とから構成されている。【００２５】
信号処理部４０７はデマッピング部４２１を備える。端末から受信した信号は、各無線部、ＣＰ除去部４１８，ＦＦＴ部４１９、受信処理部４２０を介して、デマッピング部４２１に入力される。デマッピング部に入力される信号は、図５に示す周波数・時間リソースにマッピングされた信号である。デマッピング部は、入力された信号を、端末からフィードバックされたフィードバック情報を含む制御信号とデータ信号とに分離して、それぞれを出力する。【００２６】
制御部（４０５）は、基地局の各無線部から送信されるパイロット信号を制御するパイロット信号制御部（４２５）を含んで構成されている。【００２７】
パイロット信号の変更に要するフィードバック情報、例えば、各端末のランクに関する情報や、否定応答に関する情報はパイロット信号制御部（４２５）に入力される。【００２８】
パイロット信号制御部（４２５）は、フィードバック情報収集部８０１と、パイロット信号変更判断部８０２と、パイロット信号決定部８０３と、を有する。フィードバック情報収集部８０１は、基地局からの信号を受信した端末からフィードバックされる情報を、少なくとも一の無線部を介して収集する。パイロット信号変更判断部８０２は、収集した情報の経時変化をモニタし、従来からの変化の有無をチェックし、従来から変化があった場合、パイロット信号の変更を判断する。パイロット信号決定部８０３は、パイロット信号変更判断部（８０２）の結果を受けて、パイロット信号の変更の有無を決定する。【００２９】
マッピング制御部（４３１）は、送信信号のマッピング（４１１）を制御し、変調部（４１０）から出力されたデータ信号、同期信号（４１５）、制御信号（４１６）、パイロット信号（４１７）を、図５のような周波数・時間リソースエレメントにマッピングする。マッピング制御部４３１は、マッピング制御情報４９０をマッピング４１１に、デマッピング制御情報４９５をデマッピング部４２１に通知する。【００３０】
それ以外の基地局動作は、一般に用いられる基地局動作と同等であるため、各部の動作については、簡単に説明する。【００３１】
バックホールネットワーク（４０１）からバックホールネットワークインタフェース（４０２）を介して、基地局（４００）がデータを受信すると、基地局４００は、受信したデータを送信バッファ（４０８）に格納する。次に、誤り制御部（４０９）は、そのデータを誤り検出符号と、誤り訂正符号とで符号化し、変調部（４１０）が、符号化されたデータを変調する。マッピング部４１１は、変調部（４１０）から出力されたデータ信号と、同期信号（４１５）、制御信号（４１６）、パイロット信号（４１７）を、マッピング制御部（４３１）からのマッピング制御情報４９０に従い、時間周波数エレメント（時間と周波数を軸とした無線リソースエレメント）にマッピングする。【００３２】
その後、送信処理部（４１２）は、干渉制御や送信ウエイトの乗算を行い、ＩＦＦＴ部（４１３）は、時間領域の信号に変換し、ＣＰ付加部（４１４）でＣＰ（ｃｙｃｌｉｃ  ｐｒｅｆｉｘ）を付加して、無線変復調部（１４０４）に、送信信号を入力する。無線変復調部１４０４では、入力されたデジタル信号をアナログ信号に変換してから、無線周波数信号に変換し、アンテナから信号を出力する。【００３３】
また、端末から送信された信号は、同様にアンテナで受信され、無線変復調部（１４０４）でベースバンド周波数に変換され、アナログ信号からデジタル信号に変換されたあと、ベースバンド部（４０３）に入力される。ＣＰ除去部（４１８）でＣＰを除去され、ＦＦＴ部（４１９）で周波数領域の信号に変換される。そして、受信処理部（４２０）では、変換された周波数領域の信号に対して、受信ウエイトの乗算などの処理が行われる。デマッピング部（４２１）は、入力された信号を、データ信号と制御信号とに分離して出力する。制御信号は、制御部（４０５）に入力され、データ信号は、復調・復号部（４２２）に入力され、復調・復号部４２２で復調・復号される。復調・復号された信号に対して、誤り制御部（４２３）で誤り訂正と誤り検出が行われ、受信バッファ（４２４）に入力される。信号処理部（４０７）と制御部（４０５）間のやり取りなどは、バス（４０６）を介して行われる。【００３４】
図２２では送信バッファから送信処理までを１系例としてあらわしているが、分散されたアンテナの一部を使って端末にＭＩＭＯ通信することや、複数端末への同時ＭＩＭＯ通信を行うために、複数系統の信号処理を並列に行うような構成としても良い。また、図２２は、基地局の構成の一例を示すものであり、本発明の要旨を変更しないで実現できる構成であれば、その他の構成であっても良い。【００３５】
次に図２を用いて、基地局のパイロット信号の設定処理を示す動作フローチャートを説明する。基地局はまず初期値として決定したパイロット信号に基づいて、各無線部４０４から信号を送信し、端末と通信を開始する（１０１）。基地局からの信号を受信した端末からフィードバックされる情報を、基地局は、図２２のフィードバック情報収集部（８０１）において適時収集する（１０２）。収集した情報の経時変化をモニタし、図２２のパイロット信号変更判断部（８０２）において、過去に収集されたフィードバック情報と比較し、従来からの変化の有無をチェックする（１０３）。【００３６】
従来から変化があった場合、図２２のパイロット信号変更判断部（８０２）においてパイロット信号の変更を判断し、パイロット信号の変更によりシステム性能が改善すると判断されれば（１０４）、図２２のパイロット信号決定部（８０３）からの信号によりパイロット信号の変更を実施し（１０５）、新しいパイロット信号を端末に通知する（１０７）。【００３７】
また、パイロット信号を変更してもシステム性能が改善されない場合は、パイロット信号の変更は行わない（１０６）。【００３８】
本実施例に示すように、端末からフィードバックされた情報に基づき、パイロット信号を動的に変化させる制御を行うことで、無線リソースを有効活用し、システム性能を向上させることができる。【００３９】
パイロット信号は、図５で用いたパイロット信号の配置だけではなく、パイロット信号のパタンを変えること、またそれらを組み合わせて変えることによっても、どの無線部からのパイロット信号かを識別できるようにすることができる。例えば、パイロット信号のパタンに、ウォルシュ符号をもちいることによって、パイロット信号を識別できるようにすることができる。【００４０】
従って、本発明の実施例では、図５に示すように、パイロット信号の配置を変化させることを例として説明したが、パタンの変更によっても同様の効果が得られることは明白である。【００４１】
そのため図２２に示す実施例においては、パイロット信号決定部（８０３）からパイロットの配置とパタンの２種類の情報が出力できる構成となっている。パイロットの配置に関する情報はマッピング制御部４３１に伝えられる。パタンに関する情報は、バス４０６経由でパイロット信号（４１７）に伝える構成となっている。【００４２】
図５に示すようにパイロット信号の配置を変更し、パタンに関してはあらかじめ決められた値を用いる場合は、パイロット信号決定部（８０３）から出力される信号がパイロットの配置に関する情報となるように構成しても良い。【００４３】
以下、他の実施例を用いて、本実施形態の詳細説明を行う。
【実施例２】
【００４４】
図２３、図３、図４、図２１を用いて本発明の実施例２を説明する。実施例２では、基地局は、端末からフィードバックされるフィードバック情報として、端末のランク数の情報を収集する（１３２）。基地局は、ランク数の減少の有無をチェックし（１３３）、ランク数が減少した場合は、パイロット信号配置を変更し（１３４）、端末に新しいパイロット信号配置番号を通知（１３５）する。ランク数の減少がなければ、パイロット信号配置の変更は行わない（１３６）。実施例２の構成において、実施例１と異なる箇所について説明する。実施例２で説明を省略している点については、他の実施例と同様である。【００４５】
図４は、時間（１４２）、端末のランク数（１４３）とパイロット信号配置番号（１４４）の関係を示すテーブル（１４１）である。テーブル１４１は、ランク数の情報を収集するメモリ（８１１）に保持される。パイロット信号配置番号１４４とは、パイロット信号の配置に対して、配置パタンを特定するための識別子である番号と対応づけたものである。つまり、テーブル１４１は、端末からフィードバックされるランク数とパイロット信号の配置とが対応付けられて格納されている。【００４６】
図２１はパイロット信号配置とパイロット信号配置番号の関係を示すテーブル（７０１）である。テーブル７０１では、パイロット信号配置番号７０２と配置番号に対応するパイロット信号配置のパターンが一以上対応づけられている。パイロット信号配置番号１に対応付けられるパイロット信号配置（７０３）は、パタン（Ａ）が対応付けられる。図２１に示すように、パタン（Ａ）では、ハッチングを施したリソース（１７０１）にパイロット信号が配置され、その他のリソース（１７０２）には、パイロット信号以外の信号、例えばデータ信号などが配置される。【００４７】
パイロット信号配置番号２に対応付けられるパイロット信号配置は、パタン（Ｂ）とパタン（Ｃ）である。パタン（Ｂ）とパタン（Ｃ）では、パイロット信号が異なるリソースに配置されている。また、パタン（Ｂ）では、パタン（Ｃ）においてパイロット信号が配置されるリソース（１７０３）には信号が配置されない。同様にパタン（Ｃ）では、パタン（Ｂ）においてパイロット信号が配置されるリソースには信号が配置されない。このような信号配置とすることで、端末がパイロット信号を識別できるようにしている。【００４８】
パイロット信号配置番号３に対応づけられるパイロット信号配置は、パタン（Ｄ）、（Ｅ）、（Ｆ）となる。パイロット信号配置番号４に対応づけられるパイロット信号配置は、パタン（Ｇ）、（Ｈ）、（Ｉ）、（Ｊ）となる。これらのパタンにおけるパイロット信号の配置方法は、パイロット信号配置番号２に対応付けられるパタンと同様である。また、パタン（Ａ）と同様に、パタン（Ｂ）から（Ｊ）においても、ハッチングされていないリソースには、パイロット信号以外の信号、例えばデータ信号などが配置される。【００４９】
図２１のような配置パタンの情報を基地局と端末であらかじめ共有しておけば、パイロット信号の配置そのものを通知せずに、パイロット信号配置番号を通知することにより、パイロット信号の配置を、端末側が把握することができる。基地局は、ブロードキャスト信号を用いて、各無線部が用いるパイロット信号配置のパタンに対応するパイロット信号配置番号を通知してもよい。【００５０】
実施例２の基地局の構成を図２３に示す。
実施例２では、パイロット信号制御部（４２５）が有するメモリ（８１１）に端末からフィードバックされた端末のランク数の情報を保持する。本実施例で用いるランク数とは、ＭＩＭＯ通信において同時に送信できるレイヤの数とする。【００５１】
パイロット信号配置変更判断部（４２７）は、端末からフィードバックされた情報に含まれるランク数と、すでにメモリ８１１に保持されている過去にフィードバックされたランク数とを比較し、ランク数の減少の有無をチェックし、その情報をパイロット信号配置決定部（４２８）に伝達する。つまり、パイロット信号配置変更判断部４２７は、テーブル１４１を参照することによりランク数の時間変化をモニタする。【００５２】
パイロット信号配置決定部（４２８）は、パイロット信号配置変更判断部（４２７）からの情報が、「ランク数の減少あり」であればパイロット信号配置を変更すると決定し、「ランク数の減少なし」であれば、パイロット信号配置を変更しないことを決定する。つまり、ランク数に応じて、パイロット信号配置決定部４２８は、パイロット信号配置の変更の要否を決定する。実施例２でのパイロット信号制御部４２５は、あらかじめ、メモリ（４３０）にパイロット信号配置番号テーブルを保持しておき、パイロット信号配置番号決定部（４２８）は、決定したパイロット信号配置番号をマッピング制御部（４３１）に伝達する。【００５３】
実施例２における基地局の動作を図３に示す。上述のとおり、実施例２では基地局は、端末からフィードバックされる端末のランク数を、図２３のランク数の情報を収集するメモリ（８１１）に収集する（１３２）。図２３のパイロット信号配置変更判断部（４２７）は、メモリ８１１に保持されるランク数の情報を参照し、ランク数の変化をチェック（１３３）する。基地局は、１３３でのチェック結果、ランク数が減少した場合は、図２３のパイロット信号配置決定部（４２８）においてパイロット信号配置を変更し（１３４）、端末に変更後のパイロット信号配置番号を通知（１３５）する。ランク数の減少がなければ、パイロット信号配置決定部は、パイロット信号配置の変更は行わなず（１３６）、基地局は、ランク数の変化のチェックの処理に戻る。【００５４】
図１に示す無線通信システムの場合、端末（１２８）は、４つのアンテナを有するため、最大で４レイヤの信号を送受信するように構成することが可能であるが、標準化された仕様に基づき通信する場合は、基地局から端末へ、または、端末から基地局に送信できるレイヤ数は、仕様によって決定される。【００５５】
実施例２においては、図４に示すように、時間ｔ（０）におけるパイロット信号配置番号（１４４）を４とし、時間ｔ（０）からｔ（ｍ−１）までの間は、端末からフィードバックされるランク数（１４３）が４であるためパイロット信号配置番号（１４４）を４として通信し、時間がｔ（ｍ）のときにフィードバックされた情報によりランク数が２になったことを知り、それに基づいて、パイロット信号配置番号が２のパイロット信号配置に変更して、それ以降の通信を継続する。  このように動作させることで、パイロット信号に使う無線リソースを１／２に低減でき、パイロット信号の送信に使わなくなった無線リソースをデータ信号のリソースとして用いることができるため、無線リソースの有効活用をはかることができる。【００５６】
なお、基地局と通信している端末が１台の場合は、その端末の示すランク数が、端末と基地局の間に形成できるパスの数（すなわち基地局が送信ダイバシティを行わない場合は、端末とパスを形成できるアンテナ数）になるため、ランク数を越えた分の無線部のアンテナとは通信できていないことになる。ランクが減少する主な原因は、伝搬路の変動などにより、これまで通信できていた基地局の無線部と端末が通信できなくなったことを意味している。基地局はどの無線部と通信できているかをフィードバックされた情報より知ることができるため、その無線部からのパイロット信号が識別できるように、パイロット信号の配置を変更すれば良い。
【実施例３】
【００５７】
次に図２４、図６、図７、図８、図９を用いて実施例３を説明する。実施例３では、基地局は、端末からフィードバックされた情報に含まれる否定応答に基づきパイロット信号配置の変更を判断する。【００５８】
図２４は、実施例３の基地局の構成を示す。他の実施例と異なる点は、パイロット信号制御部（４２５）のなかのメモリ（８１２）は否定応答に関する情報を記憶する。その他の構成は図２２に示した実施例２の構成と同様である。【００５９】
図８は、実施例３において基地局のメモリ（８１２）に格納される端末からフィードバックされた否定応答に関する情報と、パイロット信号配置番号の関係を示すテーブル（１９１）を示す。テーブル（１９１）には、否定応答の頻度は閾値より大きいか（１９３）、また変調方式／符号化率変更後の否定応答の頻度は閾値より大きいか（１９４）、の判定と、その時のパイロット信号配置番号（１９５）が時間（１９２）とともに記録される。【００６０】
実施例３で、端末からの否定応答が増える原因は主として２通りある。１つ目は無線部と端末の間の伝搬環境の悪化である。例えば、図１に示す端末（１２８）が、無線部１（１２１）、無線部４（１２４）からの信号が受信できる伝搬環境にあり、基地局は、無線部１（１２１）からは図６（ａ）に示すパイロット信号配置（１６１）を用いて、また無線部４（１２４）からは図６（ｂ）に示すパイロット信号配置（１６２）を用いて、端末と通信をしていた場合に、無線部１（１２１）と端末（１２８）の間の伝搬環境が悪化し、従来用いていた変調方式と符号化率ではエラーが生じる場合である。この場合は、変調多値数もしくは符号化率、もしくはその両方を、従来よりも下げて通信することにより、正しく復調できるようになる。【００６１】
２つ目は、従来は、端末に対してパイロット信号が届かなかった、同じ無線リソースを用いてパイロット信号を送っている別の無線部からの信号が、伝搬環境の変化により、端末に届くようになる場合である。例えば、前述のように図１において当初は無線部１（１２１）、並びに無線部４（１２４）の信号しか受信できずにいた端末（１２８）が、伝搬環境の変化により、例えば、無線部１（１２１）と同じ無線リソースを用いてパイロット信号を送っている無線部５（１２５）からの信号も、伝搬環境の変化により受信できるようになった場合である。このとき、端末（１２８）は、無線部５（１２５）のパイロット信号が重畳しているパイロット信号を、無線部１（１２１）からのみ届いたパイロット信号として伝搬路推定を行い、その結果を基地局にフィードバックする。そのため、端末からフィードバックされた情報が、実際の伝搬路と異なるため、端末は基地局から送信された信号を正しく復調することができない。この場合は、パイロット信号配置を変更して、端末が無線部１、無線部４、無線部５からのパイロット信号を正しく受信できるようにする必要がある。【００６２】
図９は、実施例３における端末と基地局のシーケンス図である。図９は、否定応答の割合が閾値よりも大きいと判定され、かつ、変調多値数と符号化率を下げた場合でも、否定応答の割合が閾値よりも大きかった場合のシーケンスである。図９を用いて、本実施例による基地局と端末の動作シーケンスを説明する。基地局（７１２）は、端末（７１１）に対してデータ信号（７１３）を送信する。端末は受信信号に対して、誤り訂正・誤り検出（７１４）を実施し、基地局に確認応答／否定応答情報をフィードバック（７１５）する。【００６３】
基地局は、否定応答割合＞閾値と判定（７１６）し、これまでの通信で用いていた変調多値数・符号化率よりも、変調多値数・符号化率を下げて（７１７）データ信号を送信する（７１８）。端末は受信信号に対して、誤り訂正・誤り検出（７１９）を実施し、確認応答／否定応答情報を基地局にフィードバックする（７２０）。基地局は、否定応答割合＞閾値と判定（７２１）し、パイロット信号の衝突が発生していると判断し（７２２）、パイロット信号配置変更を決定する（７２３）。基地局は、変更後のパイロット信号配置番号を端末に通知し（７２４）、端末は通知されたパイロット信号配置番号での通信準備を行い（７２５）、確認応答をフィードバックする（７２６）。基地局は、その信号を受けて、データ信号を送信する（７２７）。【００６４】
次に、図７は、図９で説明したシーケンスに関係する基地局動作の詳細を説明するフローチャートである。基地局は、初期値に対応したパイロット信号配置で通信を開始（１８１）し、端末からの否定応答情報を収集する（１８２）。その結果をメモリ内のテーブルに格納する。基地局は、否定応答が閾値より大きいかを、あらかじめ保持している閾値を用いて判断し（１８３）、閾値以下であれば、パイロット信号配置の変更なし（１８９）で通信を継続する。一方、閾値より大きければ、基地局は、変調多値数と符号化率を従来よりも下げて送信する（１８４）。【００６５】
端末がＣＱＩ（ｃｈａｎｎｅｌ  ｑｕａｌｉｔｙ  ｉｎｄｉｃａｔｏｒ）をフィードバックする無線システムの場合は、そのＣＱＩから適当と判断される変調多値数と符号化率を使っても否定応答の割合が閾値よりも大きい場合は、基地局は、それよりも変調多値数と符号化率を下げて信号を送信する。【００６６】
基地局は、その状態で、送信を行い、同様に端末からの否定応答情報を収集する（１８５）。変調多値数と符号化率を下げたあとでも否定応答が閾値より大きければ（１８６）、基地局は、ランク数を１つ増加させたパイロット信号配置に変更し（１８７）、端末に新しいパイロット信号配置番号を通知する（１８８）。否定応答が閾値以下であれば、基地局は、パイロット信号配置は変更しない（１８９）。【００６７】
上述の実施例３に示すように、端末からの否定応答の割合が閾値を越えた場合に、その原因を明らかにし、変調方式や符号化率を変更する、もしくは、パイロット信号配置を変更することで、端末の否定応答の割合を減少し、スループットを向上させることができる。なお、本実施例では、パイロット信号の衝突が起きていると判断した場合に、パイロット信号の再配置を行い、衝突を回避する方法を示した。一方、例えば、システムが端末に対してスループットを保証しており、パイロットが衝突している無線部からの送信を中止しても、保証しているスループットを満足できる場合は、パイロット信号の配置を変更せずに、パイロット信号の衝突が起きている無線部からの信号の送信を中止することも可能である。その結果として、パイロット信号の衝突が起きていた端末に向けて無線部が使用していたリソースを他の端末向けに活用することができ、トータルスループットを向上させることができれば、基地局は信号送信方法を上記のよう制御しても良い。【００６８】
前述の実施例において、パイロット信号配置の初期値は、複数無線部を設置した段階で、それらの無線部と通信可能なエリアにおける、平均的なランク数と考えられる値、もしくは、無線部と同数を初期値としても良い。また、標準化されているシステムを用いる場合は、その標準で規定されている最大のレイヤ数としても良い。【００６９】
パイロット信号配置番号を増加させる場合は、パイロット信号の衝突を定量的に把握することが困難であるため、１ずつ上げることが好ましいが、ランク数が下がったことに対するパイロット信号配置の変更を行う場合は、１ずつ下げなくても良い。例えば、パイロット信号配置番号の初期値を４として通信を開始し、空間伝搬路の変化によりすべての端末から、ランク数が２である、という情報がフィードバックされた場合は、ランク数４に適したパイロット信号配置から、ランク数２に適したパイロット信号配置に変更しても良い。
【実施例４】
【００７０】
次に図１０、図１１、図１２を用いて、本発明の実施例４を説明する。実施例４では、図１０に示すように無線部１（２２１）〜無線部ｍ（２２９）の複数の無線部とベースバンド部（２５０）とから構成された基地局と、複数の端末１〜端末ｎ（２４１−２４３）が通信を行っている。【００７１】
実施例４では、基地局は、実施例２と同様に、それぞれの端末からフィードバックされたランク数をモニタする。しかし、実施例４では、複数の端末が基地局と通信するため、１つの端末と無線部との間の空間伝搬路の変化だけではなく、複数の端末と無線部との間の空間伝搬路を考慮して、パイロット信号配置を決定する。実施例４の基地局の構成を図２５に示す。実施例４の構成は実施例２の構成と同じであるが、パイロット信号制御部（４２５）のなかのメモリ（８１３）、パイロット信号配置変更判断部（４２７）、パイロット信号配置決定部（４２８）の動作が異なる。【００７２】
実施例４では、メモリ（８１３）は、基地局と通信している端末の中で、ランク数が減少した端末の割合の情報を記憶し、パイロット信号配置変更判断部（８１４）は、メモリ８１３を参照し、その割合が、あらかじめ決められた閾値を越えた場合に、パイロット信号配置を変更すべきかを判断する。以下ではパイロット信号配置変更判断部４２７が、トータルのスループットの変化を基準に、パイロット信号配置を変更すべきかを判断する例について説明する。【００７３】
例えば、初期値のパイロット信号配置番号を３として通信を開始し、空間伝搬路の変動によりランク数が２に減少した端末が発生した場合、ランク数２の端末にとっては、ランク数２に対応するパイロット信号配置にすることで、基地局は、端末と通信できない無線部のパイロット信号の送信に用いるリソースをデータ信号の送信に使用できるためスループットが向上する。一方、ランク数３で通信できる端末に対しては、ランク数２に対応するパイロット信号配置とすることでパイロット信号の衝突が発生するため、そのような端末に対しては、スループットが低下する。このように複数の端末が基地局と通信している場合は、個々の端末の変動だけではなく、複数端末の変動を考慮したパイロット信号配置の変更が必要となる。そのため実施例４では、パイロット信号配置変更の基準として、複数端末のトータルのスループットが、パイロット信号配置を変更することによって増加する場合、パイロット信号配置決定部（４２８）でパイロット信号の配置の変更を決定し、パイロット信号配置を変更する。【００７４】
図１２は、基地局のメモリ（８１３）が保持するトータルスループットの変化とパイロット信号配置番号の関係を示すテーブル（２７１）である。このテーブル（２７１）は、パイロット信号配置変更判断部（４２７）での判断結果もあわせて保持している。図１２のテーブル２７１は、端末のランク数ごとに時間に応じたランク数の変化が記録されるエントリ２７３と、時間ごとのランク数が減少した端末の割合と閾値との関係２７４のエントリ、パイロット信号配置変更によるトータルスループットの変化２７５、パイロット信号配置番号２７６の時間ごとの配置番号が保持される。【００７５】
基地局は、端末毎のランク数（２７３）の時間変化（２７２）を記録し、当該基地局が収容する端末数に対して、ランク数が減少する端末数の割合が閾値よりも大きいかを判断する（２７４）。時間ｔ（ｋ）においては、ランク数減少端末の割合が閾値よりも大きいと判断されたため、パイロット信号配置変更によるトータルスループットの変化を計算し、その結果、パイロット信号配置変更によりトータルスループットが減少すると判断されたため、パイロット信号配置番号（２７６）は従来通りとする。また、時間ｔ（ｍ）においては、パイロット信号配置変更によるトータルスループットが増加すると判断されたため、パイロット信号配置番号（２７６）を変更する。【００７６】
図１１は、実施例４における基地局の動作フローチャートを示す。実施例４では、実施例２と同様に、それぞれの端末からフィードバックされたランク数をモニタし、以下のように動作する。【００７７】
基地局は、初期値に対応したパイロット信号配置で通信を開始し（２６１）、端末からフィードバックされる各端末のランク数の情報の収集（２６２）を行う。基地局は、収集されたフィードバック情報を用いて、通信している複数端末の中で、ランク数が減少した端末数の割合があらかじめ設定された閾値よりも大きいか判断する（２６３）。閾値よりも大きくなければ、基地局は、パイロット信号配置の変更は行わない（２６８）。また、閾値より大きい場合、基地局は、パイロット信号配置を変更する前、並びに、ランク数の減少に合わせてパイロット信号配置を変更した後の、端末全体のトータルスループットを算出する（２６４）。その結果として、パイロット信号配置の変更によりトータルスループットが増加するか否かを判定する（２６５）。判定した結果、トータルスループットが増加する場合は、基地局はパイロット信号配置を変更し（２６６）、端末に新しいパイロット信号配置番号を通知する（２６７）。また、トータルスループットが増加しない場合は、基地局は、パイロット信号配置は変更しない（２６８）。【００７８】
パイロット信号配置を変更するかどうかは、実施例４では、トータルスループットの変化によって判断するが、パイロット信号配置の変更判断のトリガーは、ランク数の減少した端末の割合が閾値より大きいかによって決定する。閾値は任意の値を用いてよいが、閾値を小さく設定すると、パイロット信号配置の変更の判断を頻繁に行うようになるため、閾値の値は、過去において、実際にパイロット信号配置を変更することを行った時の割合や、基地局の処理能力などに基づき決定することが望ましい。【００７９】
本実施例の変形として、すべての端末のランク数が下がったときにパイロット信号配置を変更する、としても良い。また、端末からフィードバックされるランク数の中で最大のランク数が下がったときに、パイロット信号配置を変更する、としても良い。
【実施例５】
【００８０】
次に図１３、図１４、図１５、図１６を用いて、実施例５を説明する。【００８１】
図１３は、本発明の実施例５の無線通信システムの構成図を示している。実施例５では、端末２（３３２）、端末３（３３３）はそれぞれ２本のアンテナ（３２２，３２３）を有している。端末２、端末３が、無線部２（３１２）、無線部３（３１３）、無線部４（３１４）、無線部５（３１５）からの信号を受信することができる場合は、これらの４か所の無線部が２つの端末に向けて、信号の同時送信を行う、すなわちマルチユーザＭＩＭＯ通信を行うこともできる。【００８２】
実施例５では、これまで述べた他の実施例と同様であるが、パイロット信号配置の変更の判断基準を各端末のスループットのなかの最小値の変化とする。【００８３】
図１５は、本実施例における、時間経過に伴う各端末のスループットの最小値の変化とパイロット信号配置番号の関係を示すテーブル（３６１）である。基地局は図１５に示すテーブル（３６１）をパイロット信号制御部内のメモリに保持している。テーブル（３６１）には、端末毎のランク数（３６３）、ランク数減少端末の割合と閾値との比較結果（３６４）、またパイロット信号配置を変更した場合の、各端末のスループットのなかの最小値の変化（３６５）と、ある時間３６２におけるパイロット信号配置番号（３６６）を含む。【００８４】
ランク数減少端末の割合と閾値との比較結果３６４は、収集された複数の端末のランク数をもとに、ランク数の減少した端末数の、基地局が収集した端末の合計数に対する割合が、あらかじめ基地局が保持している閾値より大きいかを示す。【００８５】
例えば、時間ｔ（ｋ）または、ｔ（ｍ−１）では、ランク数減少端末の割合が閾値よりも大きくなるが、ランク数の減少に合わせてパイロット信号配置を変更しても、各端末のスループットのなかの最小値は変化しない、もしくは減少するため、パイロット信号配置は時間ｔ（０）の時と同じである。しかし、時間ｔ（ｍ）では、各端末のスループットのなかの最小値が増加するため、パイロット信号配置を変更する。【００８６】
図１４に実施例５における基地局動作のフローチャートを示す。実施例４と実施例５の違いは、パイロット信号配置の変更の基準の違いである。実施例４では複数端末のトータルスループットの変化であったが、実施例５では、各端末のスループットのなかの最小値の変化を判断基準とする。すなわち、本実施例では、基地局は、ランク数が減少した端末数の割合が閾値より大きいか否かを判別する（３５３）。判別結果、閾値より大きくなければパイロット信号配置を変更しない（３５８）。閾値より大きければ、パイロット信号配置変更前、並びに変更後の各端末のスループットを計算し（３５４）、各端末のスループットのなかの最小値が増加される場合に（３５５）、パイロット信号配置を変更し（３５６）、端末に新しいパイロット信号配置番号を通知する（３５７）。各端末のスループットのなかの最小値が増加しなければ、パイロット信号配置は変更しない（３５８）。【００８７】
実施例５は、各端末のトータルスループットの向上ではなく、端末のスループットの最小値を保証することを優先する無線システムを構築する場合に、好適な方法である。【００８８】
これまでに述べた実施例５では、各端末のスループットのなかの最小値が増加しない場合は、パイロット信号配置の変更を行わない（３５８）としているが、図１６に示すように、スループットの最小値が増加しない場合でも、トータルスループットが増加する場合は（３６１）、パイロット信号配置を変更する（３６２）ようにしても良い。【００８９】
また、本実施例の他の変形例として、パイロット信号配置の変更の判断基準として、各ユーザに対して保証しているスループットが得られる端末の数の多少で決めるなど、他の判断基準を用いても良い。
【実施例６】
【００９０】
次に図１７を用いて実施例６を説明する。実施例６の無線基地局では、図１７に示すように、複数の無線部（３８１、３８２）とベースバンド部３８５とを備える。複数の無線部は、複数のグループにグループ分けされ、図１７では、グループＡに無線部３８１が属し、グループＢに無線部３８２が属している。そしてベースバンド部には、グループＡ、Ｂそれぞれに対応する、グループＡ用ベースバンド部３８６、グループＢ用ベースバンド部３８７がある。グループＡ用ベースバンド部３８６は、グループＡに対してパイロット信号配置を制御する。グループＢ用ベースバンド部３８７は、グループＢに対してパイロット信号配置を制御する。【００９１】
複数の無線部を２つ以上のグループに分けて、それぞれのグループ内で、個別にパイロット信号配置を制御することで、１つのグループとしてパイロット信号配置を制御した場合より、グループ毎に適した制御ができ、その結果としてより良い無線通信を実現できる場合に、本実施例に示す構成とすることが適している。【００９２】
例えば、ランク数４に対応するパイロット信号配置を初期値とした方が、ランク数２に対応するパイロット信号配置を初期値として通信を開始した場合に比べて、その後のパイロット信号配置を変更する確率が低くなる無線部をグループＡとし、一方、ランク数２に対応するパイロット信号配置を初期値とした方が、ランク数４に対応するパイロット信号配置を初期値として通信を開始した場合に比べて、その後のパイロット信号配置を変更する確率が低くなる無線部をグループＢとする。このようにグループ分けすることで、グループＡはランク数４に対応するパイロット信号配置を初期値として、一方、グループＢはランク数２に対応するパイロット信号配置を初期値として通信を開始することができる。その結果、どちらのグループもそれぞれのグループに適したパイロット信号配置を用いて、通信を開始することができる。【００９３】
また、例えば、繁華街のように多くのユーザが集まる地域と一般的な住宅街のように繁華街ほどにはユーザが存在しない地域を１つの基地局がカバーする場合にも、無線部を２つのグループに分けても良い。繁華街では、住宅街よりも無線部を配置する密度を高くした場合、どの無線部も等しい電力で信号を送信するようなセル設計を行えば、端末がパイロット信号を受信できる無線部の数の平均は繁華街と住宅街では異なり、従って端末からフィードバックされるランク数の時間平均も繁華街と住宅街では異なる。このように、無線部をその通信環境に応じてグループ分けすることにより、パイロット信号配置に対して、より細かく制御することができる。【００９４】
その他の実施例として、端末の最大ランク数の数によって、無線部をグループ分けしても良い。またランク数の最大値が等しい場合でも、パイロット信号配置の変更が起こる頻度で、さらにグループを分けても良い。例えば、通信エリアの伝搬環境がほぼ安定しており、パイロット信号配置の変更頻度が少ない場合と、通信エリアの伝搬環境の変化が大きく、パイロット信号配置の変更を頻繁に行った方が、無線通信システムの性能が良くなるエリアでは、別のグループとして制御することが望ましい。その結果、それぞれのエリアに適した頻度でパイロット信号配置を変更でき、変更の判断に要するシステムへの負荷を適正量にできる効果がある。【００９５】
また、図１７に示すように、実施例６では基地局のベースバンド部（３８５）において、グループＡ用ベースバンド部（３８６）、グループＢ用ベースバンド部（３８７）を個別に設け、グループ毎にパイロット信号の配置方法を制御している。各グループのパイロット信号配置の制御は、これまでに述べた実施例１〜５と同様に行えば良い。また、パイロット信号配置の変更の判断基準をグループＡ、グループＢで同じにしても良く、また異なる判断基準としても良い。また、実施例６では２つのグループに分けているが、さらに多くのグループに分けても良い。グループ分けは、双方の無線部の数が等しくなるように分けても良く、また無線部の数が異なるように分けても良い。
【実施例７】
【００９６】
図１８を用いて実施例７を説明する。図１８は、端末（３９１）が、上述の実施例に基づき動作している基地局（３９２）と通信を開始する場合のシーケンスを示している。【００９７】
実施例７による基地局は、端末との通信に要する同期情報やパイロット信号配置の情報などの制御情報（３９３）を、一定間隔でブロードキャストする。端末は電源が投入（３９４）された後、同期信号を検索し（３９５）、次に制御情報から基地局との通信を開始するために必要な制御情報を得る（３９６）。【００９８】
端末（３９１）は、通信開始の問合せ信号をブロードキャストし（３９７）、基地局から通信開始の許可と、最初に通信開始の問合せ信号を受信した無線部に関する制御信号を受信する（３９８）。基地局３９２は、この制御信号を用いて、端末（３９１）が通信を開始する無線部が用いているパイロット信号配置番号を通知する。端末は、通知されたパイロット信号配置番号をもとに、パイロット信号を検知する準備をし、基地局との通信を開始する（３９９）。それ以降は、これまで説明した実施例のように、基地局にランク数や否定応答などの情報を適時フィードバックしながら、通信を継続する。
【実施例８】
【００９９】
次に、図１９を用いて本実施形態の端末の構成を説明する。【０１００】
端末５０３の構成は、信号処理部５０７と制御部５０５とアプリケーション５０１と、アプリケーション５０１と信号処理部５０７及び制御部５０５とのインターフェース５０２とを有し、それぞれバスにて接続されている。さらに、端末は、無線変復調部とアンテナを有する無線部５０４を含む。信号処理部５０７は、送信バッファ５０８、誤り制御部５０９、変調部５１０、マッピング部５１１、送信処理部５１２、ＩＦＦＴ部５１３、ＣＰ付加部５１４、受信バッファ５２４、誤り制御部５２３、復調・復号部５２２、デマッピング部５２１、受信処理部５２０、ＦＦＴ部５１９、ＣＰ除去部とを有する。【０１０１】
データ信号の送受信は、図２２並びに図２３を用いて説明した基地局の信号処理部４０７の動作とほぼ同じであるため、基地局と異なるところについて説明する。【０１０２】
図２５に示す基地局は、パイロット信号の配置を動的に変化させ、その配置をパイロット信号配置番号として端末に通知する。【０１０３】
信号処理部５０７の中の受信処理部５２０からの出力をパイロット信号配置番号読み出し部５２６に伝達し、パイロット信号配置番号読み出し部５２６は、受信処理部５２０からの出力から、パイロット信号配置番号を読み出す。パイロット信号配置番号読み出し部（５２６）で読みだした番号をもとに、メモリ（５３０）内に格納しているパイロット信号配置番号とパイロット信号の配置の関係を示すテーブルを用いて、パイロット信号読み出し部（５２８）によって、端末と通信している無線部が送信しているパイロット信号を読み出す。【０１０４】
読みだしたパイロット信号の情報をもとに、ランク数判定部（５２９）により、端末が受信した信号のランク数を判定し、その情報を制御情報生成部（５３１）に伝える。生成された制御情報（５１５）は、端末のパイロット信号（５１７）や変調されたデータ信号とともに時間周波数エレメント（時間と周波数を軸とした無線リソースエレメント）にマッピングされ、送信信号処理されたあと、アンテナから出力される。【０１０５】
図１９に示す構成は、ランク数の情報に基づき、パイロット信号配置の変更を決定する無線通信システムに用いる端末の構成を示しているが、否定応答の情報に基づき、パイロット信号配置の変更を決定するシステムい用いる端末の場合も、同様の構成とすれば良い。
【実施例９】
【０１０６】
これまで述べた実施例におけるパイロット信号配置の変更に関する一連の動作を、基地局のベースバンド部に格納されたプログラムにより自動的に実行するようにしても良い。また、図２０に示すように、マニュアル制御と自動制御を適宜切り替えて操作するようにしても良い。図２０においては、マニュアル制御と自動制御の説明を主としているため、これまでの実施例において、例えば図２２を用いて説明した、ＩＦＦＴ部、ＦＦＴ部、ＣＰ付加部、ＣＰ除去部、無線部は図から省略しているが、実施例９で説明しない処理については、他の実施例と同様である。【０１０７】
図２０を用いて、上記制御の詳細を説明する。管理装置（６０１）はユーザインタフェース（６０２）、メモリ（６０３）、プロセッサ（６０４）、バックホールネットワークインタフェース（６０６）を構成要素としている。プロセッサの中には、パイロット信号配置制御部（６０５）が設けられており、管理者はマニュアルで、パイロット信号の配置を制御することができる。【０１０８】
本実施例においては、所望のパイロット信号の配置にするためにマッピング部（４１１）でパイロット信号をマッピングするときに、マッピング制御情報（６１２）を用いる。マッピング制御情報として、パイロット信号配置自動制御部（６１３）により作成された自動制御による情報（６０９）を用いるか、もしくは、管理装置（６０１）のパイロット信号配置制御部（６０５）により、管理者が手動により作成したマニュアル制御情報（６０７）のどちらを用いるかは、スイッチ（６１０）とスイッチコントロール信号（６０８）により切り替えることができる。このスイッチコントロール信号も管理装置（６０１）によって制御されている。スイッチ６１０は、スイッチコントロール信号６０８に従って、自動制御による情報６０９とマニュアル制御情報６０７どちらの情報を用いるか選択し、選択した情報を、信号処理部４０７に伝達する。【０１０９】
このような構成とすることで、パイロット信号配置の自動制御、またはマニュアル制御のどちらも行うことができる。【０１１０】
また、実施例６のグループ毎のパイロット変更の判断基準の設定を、管理装置６０１から基地局に通知してもよい。また、各グループのパイロットの配置変更の判断を、管理装置６０１が行い、各グループ用ベースバンド部に通知してもよい。基地局のグループ用ベースバンド部のいずれかの制御部４０５が、複数のグループごとのパイロットの配置変更を決定してもよい。【０１１１】
以上図面を用いて本発明の実施例を説明したが、これらの図に示された構成やフローチャートなどは、あくまで一例であり、これ以外にも、本発明の趣旨を逸脱しない範囲において、本発明を適宜変更しても本発明の効果を得られることは明らかである。例えば、パイロット信号の配置を変更したり、各実施例で述べたパイロット信号の配置変更に対する判断基準を適宜組み合わせたものを判断基準としても良いことは明白である。
【符号の説明】
【０１１２】
１１１：アンテナ
１２１−１２７：無線部
１２８：端末
１１０：ベースバンド部
２１１−２１９：アンテナ
２２１−２２９：無線部、
２３１−２３３：アンテナ
２４１−２４３：端末
２５０：  ベースバンド部
３８３：グループＡ
３８４：グループＢ  
３８５：ベースバンド部
３８６：グループＡ用ベースバンド部
３８７：グループＢ用ベースバンド部
４００：基地局
４０３：ベースバンド部
４０４：無線部
４０５：制御部
４２５：パイロット信号制御部
８０２：パイロット信号判断部
８０３：パイロット信号決定部
４２７：パイロット信号配置判断部
４２８：パイロット信号配置決定部
５２６：パイロット信号配置番号読み出し部
５２８：パイロット信号読み出し部
５２９：ランク数判定部
５３１：制御情報生成部
６０１：管理装置
６０５：パイロット信号配置制御部
６０７：マニュアル制御情報
６０８：スイッチコントロール信号
６１０：スイッチ
６１２：マッピング制御情報
６１３：パイロット信号配置自動制御部
８０１：フィードバック情報収集部
【図１】
2012143973.tif 000003
【図２】
2012143973.tif 000004
【図３】
2012143973.tif 000005
【図４】
2012143973.tif 000006
【図５】
2012143973.tif 000007
【図６】
2012143973.tif 000008
【図７】
2012143973.tif 000009
【図８】
2012143973.tif 000010
【図９】
2012143973.tif 000011
【図１０】
2012143973.tif 000012
【図１１】
2012143973.tif 000013
【図１２】
2012143973.tif 000014
【図１３】
2012143973.tif 000015
【図１４】
2012143973.tif 000016
【図１５】
2012143973.tif 000017
【図１６】
2012143973.tif 000018
【図１７】
2012143973.tif 000019
【図１８】
2012143973.tif 000020
【図１９】
2012143973.tif 000021
【図２０】
2012143973.tif 000022
【図２１】
2012143973.tif 000023
【図２２】
2012143973.tif 000024
【図２３】
2012143973.tif 000025
【図２４】
2012143973.tif 000026
【図２５】
2012143973.tif 000027
【国際調査報告】
2012143973.tif 000028
2012143973.tif 000029
2012143973.tif 000030
2012143973.tif 000031
2012143973.tif 000032
2012143973.tif 000033